(57)【要約】【課題】  内面パネルを共通化することで金型費を抑えることができるレンジフードを提供する。【解決手段】  フード２と、フードの上方に位置し、空気の流れを発生させる送風機と、送風機と連通し、空気の流れを通過させる吸込口４１を有する吸込口パネル４０と、吸込口パネルに適合した開口部３１を有し、フードの内面に設けられる内面パネル３０と、を備え、吸込口パネルは、開口部に取り付けられるレンジフード。【選択図】  図１
2015094506.tif 000002
【特許請求の範囲】
【請求項１】
フードと、
前記フードの上方に位置し、空気の流れを発生させる送風機と、
前記送風機と連通し、前記空気の流れを通過させる吸込口を有する吸込口パネルと、
前記吸込口パネルに適合した開口部を有し、前記フードの内面に設けられる内面パネルと、を備え、
前記吸込口パネルは、前記開口部に取り付けられる、
レンジフード。
【請求項２】
前記吸込口パネルの外縁、前記開口部の内縁、および前記吸込口は、いずれも略矩形であり、
前記開口部の短辺は、前記吸込口の長辺より長いことを特徴とする請求項１に記載のレンジフード。
【請求項３】
前記吸込口のアスペクト比は、前記開口部のアスペクト比より大きいことを特徴とする請求項２に記載のレンジフード。
【請求項４】
前記吸込口と前記送風機を連通させる煙道内または前記吸込口にフィルタを備えることを特徴とする請求項１乃至３のいずれかに記載のレンジフード。
【請求項５】
前記吸込口パネルの外縁と前記開口部の内縁は、共に円形であることを特徴とする請求項１に記載のレンジフード。
【請求項６】
前記吸込口パネルは、前記吸込口の前記空気の流れの下流側に延在する立上部を有することを特徴とする請求項１乃至５のいずれかに記載のレンジフード。
【請求項７】
前記吸込口パネルの下面は、前記吸込口パネルの外縁と前記開口部の内縁が接する部分において、前記内面パネルの下面に対して突出していないことを特徴とする請求項１乃至６のいずれかに記載のレンジフード。
【発明の詳細な説明】
【技術分野】
【０００１】
本発明は、共通化された内面パネルを備えるレンジフードに関する。
【背景技術】
【０００２】
近年様々な形のキッチンスペースが提案されており、レンジフードも種々なキッチンスペースに合わせてレイアウトされている。そのタイプは３つに大別され、その一つが最も標準的な壁面取付タイプと呼ばれるものであって、キッチンの壁面にフードの背面を向けてキッチン壁面に取り付けられるタイプである。二つ目が対面キッチン等に使用される横壁取付タイプと呼ばれるものであって、フードの左右どちらか一方の一側面がキッチンの壁面に取り付けられるタイプである。そして三つ目がオープンキッチン等に使用される天井取付タイプと呼ばれるものであって、キッチン壁面から離れた位置にレンジフードを取付ける場合に天井に取り付けるタイプである。
【０００３】
ところで、レンジフードの機種が同一とはいえ、上述したタイプが異なるとフード内面に設ける内面パネルが有する開口の位置が異なるため、それぞれのタイプに応じた内面パネルをタイプごとに製作する必要がある。そのために、レンジフードの機種は同一であってもそれぞれのタイプに合った内面パネルの金型を用意する必要があり、製作するタイプの数に応じて金型費がかかっていた。
【発明の概要】
【発明が解決しようとする課題】
【０００４】
そこで、本発明は、上記問題に鑑みてなされたものであり、本発明の目的とするところは、内面パネルを共通化することで金型費を抑えることができるレンジフードを提供することである。
【課題を解決するための手段】
【０００５】
上記課題を解決するために、フードと、そのフードの上方に位置し、空気の流れを発生させる送風機と、その送風機と連通し、空気の流れを通過させる吸込口を有する吸込口パネルと、その吸込口パネルに適合した開口部を有し、フードの内面に設けられる内面パネルと、を備え、吸込口パネルは、開口部に取り付けられるレンジフードが提供される。
これによれば、吸込口の位置に依存しない、共通化された内面パネルを備えるレンジフードを提供することができる。
【０００６】
さらに、吸込口パネルの外縁、開口部の内縁、および吸込口は、いずれも略矩形であり、開口部の短辺は、吸込口の長辺より長いことを特徴としてもよい。
これによれば、９０度回転させた吸込口を設けることができ、壁面取付タイプ／天井取付タイプと横壁取付タイプで共通化される内面パネルを備えるレンジフードを提供できる。
【０００７】
さらに、吸込口のアスペクト比は、開口部のアスペクト比より大きいことを特徴としてもよい。
これによれば、吸込口位置の手前／奥行き方向での自由度が高まり、壁面取付タイプと天井取付タイプで共通化され易い内面パネルを備えるレンジフードを提供できる。
【０００８】
さらに、吸込口と前記送風機を連通させる煙道内または前記吸込口にフィルタを備えることを特徴としてもよい。
これによれば、壁面取付タイプ、天井取付タイプ、横壁取付タイプのいずれであっても、ダクトカバー部分（送風機ボックス）をスリムにすることができ、吸込口の位置の自由度が向上する。
【０００９】
さらに、吸込口パネルの外縁と開口部の内縁は、共に円形であることを特徴としてもよい。
これによれば、吸込口を自由な角度で配置でき、全タイプに対応できるレンジフードを提供することができる。
【００１０】
さらに、吸込口パネルは、吸込口の空気の流れの下流側に延在する立上部を有することを特徴としてもよい。
これによれば、立上片が吸込口とフードの隙間を塞ぐため、油煙が隙間に入り込んでフード内部が汚れることを防止することができる。
【００１１】
さらに、吸込口パネルの下面は、吸込口パネルの外縁と開口部の内縁が接する部分において、内面パネルの下面に対して突出していないことを特徴としてもよい。
これによれば、空気の流れる流路に凸がないので、吸込口パネルがあることで空気の流れの妨げとならず、また清掃性に優れたレンジフードを提供することができる。
【発明の効果】
【００１２】
以上説明したように、本発明によれば、内面パネルを共通化することで金型費を抑えることができるレンジフードを提供することができる。
【図面の簡単な説明】
【００１３】
【図１】本発明に係る第一実施例〜第三実施例における共通化された内面パネルの分解斜視説明図。（Ａ）第一実施例の分解斜視図、（Ｂ）第二実施例の分解斜視図、（Ｃ）第三実施例の分解斜視図。
【図２】本発明に係る第一実施例におけるレンジフードの六面図。（Ａ）正面図、（Ｂ）平面図、（Ｃ）底面図、（Ｄ）右側面図。
【図３】本発明に係る第一実施例における、（Ａ）レンジフードを右下から見た斜視図、（Ｂ）レンジフードを右下から見た分解斜視図。
【図４】本発明に係る第一実施例におけるレンジフードの、（Ａ）整流板を取り外した場合の底面図、（Ｂ）吸込口パネルの拡大図。
【図５】本発明に係る第一実施例におけるレンジフードの断面図（図２のＨ−Ｈ断面）。
【図６】本発明に係る第一実施例における吸込口パネルの、（Ａ）正面図、（Ｂ）平面図、（Ｃ）底面図、（Ｄ）右側面図、（Ｅ）右上から見た斜視図。
【図７】本発明に係る第二実施例におけるレンジフードの六面図。（Ａ）正面図、（Ｂ）平面図、（Ｃ）底面図、（Ｄ）右側面図。
【図８】本発明に係る第二実施例における、（Ａ）レンジフードを右下から見た斜視図、（Ｂ）レンジフードを右下から見た分解斜視図。
【図９】本発明に係る第二実施例におけるレンジフードの、（Ａ）整流板を取り外した場合の底面図、（Ｂ）吸込口パネルの拡大図。
【図１０】本発明に係る第二実施例におけるレンジフードの断面図（図７のＫ−Ｋ断面）。
【図１１】本発明に係る第二実施例における吸込口パネルの、（Ａ）正面図、（Ｂ）平面図、（Ｃ）底面図、（Ｄ）右側面図、（Ｅ）右上から見た斜視図。
【図１２】本発明に係る第三実施例におけるレンジフードの六面図。（Ａ）正面図、（Ｂ）平面図、（Ｃ）底面図、（Ｄ）右側面図。
【図１３】本発明に係る第三実施例における、（Ａ）レンジフードを右下から見た斜視図、（Ｂ）レンジフードを右下から見た分解斜視図。
【図１４】本発明に係る第三実施例におけるレンジフードの、（Ａ）整流板を取り外した場合の底面図、（Ｂ）吸込口パネルの拡大図。
【図１５】本発明に係る第三実施例におけるレンジフードの断面図（図１２のＪ−Ｊ断面）。
【図１６】本発明に係る第三実施例における吸込口パネルの、（Ａ）正面図、（Ｂ）平面図、（Ｃ）底面図、（Ｄ）右側面図、（Ｅ）右上から見た斜視図。
【発明を実施するための形態】
【００１４】
まず、図１を参照し、後述する各実施例において共通化された内面パネルについて説明する。本図（Ａ）は第一実施例におけるレンジフード１の分解斜視図、本図（Ｂ）は第二実施例におけるレンジフード１Ａの分解斜視図、本図（Ｃ）は第三実施例におけるレンジフード１Ｂの分解斜視図である。レンジフード１は所謂壁面取付タイプ、レンジフード１Ａは所謂横壁取付タイプ、レンジフード１Ｂは所謂天井取付タイプである。
【００１５】
壁面取付タイプのレンジフード１の送風機ボックス４は背面側に、横壁取付タイプのレンジフード１Ａの送風機ボックス４Ａは左側面側に、天井取付タイプのレンジフード１Ｂの送風機ボックス４Ｂはフード２Ｂの中央に位置しており、レンジフードが取り付けられる場所に応じて位置が異なっている。それに応じて、フード上部に設けられる送風機ボックスとの連通口（６、６Ａ、６Ｂ）の位置も異なることになる。
【００１６】
従来型のレンジフードでは、この連通口の位置に合わせて内面パネルの開口部の位置も異なっていた。しかし、本発明に係るレンジフードにおいては、内面パネル（３０、３０Ａ、３０Ｂ）の開口部（３１、３１Ａ、３１Ｂ）の位置と大きさは全く同じである。この開口部に適合して取り付けられるのは、吸込口パネル（４０、４０Ａ、４０Ｂ）である。従って、吸込口パネルの外形や大きさもそれぞれ同じである。一方、この吸込口パネルに設けられる吸込口（４１、４１Ａ、４１Ｂ）は、それぞれの連通口（６、６Ａ、６Ｂ）の位置に合わせて位置や大きさが異なっている。このように、レンジフードの取付タイプの違いを小さな部品である吸込口パネルの選択で対応することで、レンジフードにおける大きな部品である内面パネルを共通化することができ、その金型費を抑えることができるようになる。
【００１７】
以下では、図面を参照しながら、本発明に係る各実施例について説明する。
＜第一実施例＞
図２〜５は、本発明に係る第一実施例におけるレンジフード１を示す。また、図６は、レンジフード１に使用される吸込口パネル４０を示す。
レンジフード１は、調理器の上方に設けられ、下方または周囲で行われる調理によって発生する湯気や油煙等を含む空気を捕集するための、上方に凹状の内面パネル３０を内面に有する薄型のフード２を有する。
【００１８】
内面パネル３０は開口部３１を有し、吸込口パネル４０がその開口部３１に気密に取り付けられる。そして、吸込口パネル４０は、連通口６と適合する吸込口４１を有し、油煙等を含む空気をその吸込口４１から吸込み、煙道７内に引込み、その煙道７内に配置されるフィルタ５０が油煙等を空気から取り除く。また、フード２の下方に設けられ、内面パネル３０と対向する整流板５を備え、整流板５は、その周囲に、内面パネル３０との間に空気を吸い込む隙間を形成する。
【００１９】
フード２は、吸込口パネル４０の吸込口４１と適合した連通口６付近で、排気ダクト３に接続された送風機ボックス（換気装置）４と連結されている。送風機ボックス４は、連通口６と連通する煙道７と、ファン吸込口２２で煙道７と連通し内部に空気の流れを発生させる送風機２１を有するファンケーシング２０を有する。従って、送風機２１が稼働すると、送風機２１と連通し空気の流れを通過させる吸込口４１は負圧となり、内面パネル３０の下方の空気は吸込口４１を通して吸入され、煙道７とファンケーシング２０を経由して排気ダクト３を通して外部に排出される。なお、ファン吸込口２２には、空気を低い抵抗でスムースに吸込むようにガイドするため、空気の流れに接する部分にラッパ口形状を有するベルマウス１０を備える。
【００２０】
なお、換気装置とは、本実施例においては送風機ボックス４として記載するが、レンジフードを始めとして、食卓の上方に備えられ換気機能と照明機能とを備えた装置、浴室換気扇、浴室換気乾燥機、天井換気扇、空気清浄機などの装置、その他の送風機を備える装置を含むものである。
【００２１】
このレンジフード１は、送風機ボックス４が背面側に偏心し、フード２と送風機ボックス４は背面で面一となっており、背面側で壁に取り付けられるタイプ（壁面取付タイプ）である。吸込口パネル４０は、他のタイプのレンジフードと共通化された内面パネル３０の開口部３１に取り付けられる。吸込口パネル４０における吸込口４１は、吸込口パネル４０のほぼ中央部に配置されている。これは、送風機ボックス４自体は背面側に寄っているが送風機ボックス４内の煙道７の位置が正面側であり、連通口６がフード２のほぼ中央部に位置するためである。このように、連通口６よりも大きな開口部３１を設けて、その開口部３１に取り付ける吸込口パネル４０の吸込口４１の位置や大きさにより連通口６と適合させることで、吸込口４１の位置に依存しない、共通化された内面パネル３０を備えるレンジフード１を提供することができる。
【００２２】
本実施例では、吸込口パネル４０の外縁と開口部３１の内縁は共にほぼ矩形であり、気密に取り付けられるため、両者の外形と大きさはほぼ同じである。但し、これに限定されないことは言うまでも無く、吸込口パネルの外縁と開口部の内縁は、共に円形であってもよい。これによれば、吸込口を自由な角度で配置でき、全タイプに対応できるレンジフードを提供することができる。
【００２３】
また、吸込口４１もほぼ矩形であり、開口部３１の短辺即ち吸込口パネル４０の短辺は、吸込口４１の長辺より長いことが好ましい。これによれば、本実施例の吸込口４１の横縦比とは逆の９０度回転させたような吸込口（例えば、後述の第二実施例における横壁取付タイプの吸込口を参照）を設けることができる。その結果、壁面取付タイプや天井取付タイプと横壁取付タイプで共通化される内面パネルを備えるレンジフードを提供できる。
【００２４】
また、吸込口４１のアスペクト比（横縦比）は、開口部３１即ち吸込口パネル４０のアスペクト比より大きいことが好ましい。本明細書におけるアスペクト比とは、長辺と短辺の比を言い、すなわち長辺／短辺を言う。そうすると、吸込口４１のアスペクト比はＯＹ／ＯＴであり、また開口部３１即ち吸込口パネル４０のアスペクト比はＰＹ／ＰＴであるところ、吸込口４１のアスペクト比が吸込口パネル４０のアスペクト比より大きいとは、ＯＹ／ＯＴ＞ＰＹ／ＰＴであり、吸込口４１の矩形は、吸込口パネル４０の矩形よりも所謂長細い矩形である。これによれば、吸込口位置を手前／奥行き方向（正面／背面方向）に大きく変化させることができるので吸込口の配置の自由度が高まる。その結果、壁面取付タイプと、例えば後述する第三実施例における天井取付タイプで共通化され易い内面パネルを備えるレンジフードを提供できる。
【００２５】
また、吸込口パネル４０は、吸込口４１の空気の流れの下流側に延在する立上部４４を有してもよい。これによれば、立上部４４が吸込口４１とフード２の隙間を塞ぐため、油煙が隙間に入り込んでフード内部が汚れることを防止することができる。また、立上部４４を送風機ボックス４の内面に接合させているため、吸込口パネル４０を強固に取り付けることができる。
【００２６】
また、吸込口パネル４０の下面は、吸込口パネル４０の外縁と開口部３１の内縁が接する部分において、内面パネル３０の下面に対して突出していないことが好ましい。これによれば、空気の流れる流路に凸がないので、吸込口パネル４０があることで空気の流れの妨げとならず、また清掃性に優れたレンジフードを提供することができる。
【００２７】
吸込口４１の背面側の近傍には、空気の流れを通過させる孔５１を有するフィルタ５０の下端５３が配置されている。フィルタ５０の上端５２は煙道７の正面側内側面に当接し、フィルタ５０の両側端は煙道７の側面側内側面に当接するように配置される。従って、フィルタ５０は、吸込口４１から送風機２１へ向かう空気の流れの全量が孔５１を通って通過するように煙道７内に配置される。
【００２８】
なお、傾斜させて配置するとは、例えば、吸込口４１のフィルタ５０に対向する一辺４２からフィルタ５０を含む平面への垂線の足Ｈは、フィルタ５０内に位置する。なお、吸込口４１のフィルタ５０に対向する一辺４２とは、フィルタ５０を含む平面にほぼ平行である吸込口の２辺（一辺４２と他辺４３）の内、その平面からの距離が遠い方にある１辺である。これによれば、壁面取付タイプ、天井取付タイプ、横壁取付タイプのいずれであっても、送風機ボックス４（ダクトカバー部分）をスリムにすることができ、吸込口の位置の自由度が向上する。但し、これに限定されることなく、フィルタはほぼ水平に設けられ、整流板とほぼ平行に備えられてもよい。また、この場合、フィルタ５０は、吸込口４１、煙道７内、または吸込口４１の近傍に備えられてもよい。
【００２９】
内面パネルは開口部に爪部を有し、吸込口パネルは外縁に爪部と対応した位置に係合する切欠部を有していても良い。これによれば、爪部を切欠部に折り曲げて係合させることで吸込口パネルが内面パネルに取り付けられるため、大掛かりな作業を必要とせずとも人間の手のみで容易に取り付けることができる。
【００３０】
また、ファンケーシングの最下点部に送風機によって捕獲された油を滴下する孔を設け、滴下した油を受けることができる位置に吸込口パネルを設置し、さらに、吸込口パネルは着脱可能としても良い。これによれば、送風機によって捕獲された油は吸込口パネルに滴下するため、吸込口パネルを取り外して捕獲した油を捨てることができる。すなわち、吸込口パネルは油受けとしての機能も有していてもよい。
【００３１】
なお、フィルタを傾斜させて設けた際にはフィルタに付着した油がフィルタの傾斜面に沿って下方に流れるため、フィルタ面下辺から滴下する油を受けることができる位置に吸込口パネルを設けても良い。これによれば、フィルタによって捕獲された油はフィルタ面の傾斜に沿って吸込口パネルに滴下するため、吸込口パネルを取り外して捕獲した油を捨てることができる。
【００３２】
＜第二実施例＞
図７〜１０は、本発明に係る第二実施例におけるレンジフード１Ａを示す。また、図１１は、レンジフード１Ａに使用される吸込口パネル４０Ａを示す。なお、重複記載を避けるため、第一実施例と異なるところを主に説明する。
【００３３】
このレンジフード１Ａは、送風機ボックス４Ａが側面側（左側面側）に偏心し、フード２Ａと送風機ボックス４Ａは側面で面一となっており、側面側で壁に取り付けられるタイプ（横壁取付タイプ）である。吸込口パネル４０Ａは、他のタイプのレンジフードと共通化された内面パネル３０Ａの開口部３１Ａに取り付けられる。吸込口パネル４０Ａにおける吸込口４１Ａは、吸込口パネル４０Ａの左側端近傍であって、その左側端とほぼ等しい長さで配置されている。これは、送風機ボックス４Ａ自体が左側面側に寄っていて、送風機ボックス４Ａ内の煙道７Ａの位置が右側面側であり、連通口６Ａがフード２Ａの中央からやや左寄りに位置するためである。
【００３４】
また、煙道７Ａの水平面における断面は矩形なので、連通口６Ａも矩形となる。送風機ボックス４Ａは、第一実施例の送風機ボックス４と比べて平面視９０度左回転させた配置となる。第一実施例では連通口６は煙道７の矩形のアスペクト比に応じて、正面／背面方向の長さに比べて左／右側面方向の長さの方が長いが、本実施例では、逆に正面／背面方向の長さに比べて左／右側面方向の長さの方が短い。従って、開口部３１Ａ即ち吸込口パネル４０Ａの短辺は、吸込口４１Ａの長辺より長いこととなる。このように、連通口６Ａよりも大きな開口部３１Ａであって、吸込口４１Ａの長辺より長い短辺を有する開口部３１Ａを設けると、その開口部３１Ａに取り付ける吸込口パネル４０Ａの吸込口４１Ａの位置や大きさにより連通口６Ａと適合させることで、吸込口４１Ａの位置に依存しない、共通化された内面パネル３０Ａを備えるレンジフード１Ａを提供することができる。
【００３５】
＜第三実施例＞
図１２〜１５は、本発明に係る第三実施例におけるレンジフード１Ｂを示す。また、図１６は、レンジフード１Ｂに使用される吸込口パネル４０Ｂを示す。なお、重複記載を避けるため、上記実施例と異なるところを主に説明する。
【００３６】
このレンジフード１Ｂは、送風機ボックス４Ｂが、いずれの側へも偏心せずフード２Ｂのほぼ中央部に配置されており、天井に取り付けられるタイプ（天井取付タイプ）である。吸込口パネル４０Ｂは、他のタイプのレンジフードと共通化された内面パネル３０Ｂの開口部３１Ｂに取り付けられる。吸込口パネル４０Ｂにおける吸込口４１Ｂは、吸込口パネル４０Ｂの正面側端近傍であって、吸込口パネル４０Ｂの矩形より細長い矩形で形成されている。これは、送風機ボックス４Ｂ自体がフード２Ｂ中央部にあるが、送風機ボックス４Ｂ内の煙道７Ｂの位置が正面側であるので、連通口６Ｂがフード２Ｂの正面側に近い所に位置するためである。
【００３７】
吸込口４１Ｂのアスペクト比は、開口部３１Ｂ即ち吸込口パネル４０Ｂのアスペクト比より大きく、吸込口４１Ｂの矩形は、吸込口パネル４０Ｂの矩形よりも所謂長細い矩形である。これによれば、吸込口位置を手前／奥行き方向（正面／背面方向）に配置を大きく変化させることができるので吸込口の配置の自由度が高まる。即ち、送風機ボックスを背面側でフードと面一にする位置から、フード部のほぼ中央に配置する位置まで移動させても、吸込口パネル４０Ｂの中に吸込口４１Ｂを収めることができる。その結果、この天井取付タイプと、第一実施例の壁面取付タイプで共通化され易い内面パネルを備えるレンジフードを提供できる。
【００３８】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではない。
【符号の説明】
【００３９】
１      レンジフード
２      フード
３      排気口
４      送風機ボックス（換気装置）
５      整流板
６      連通口
７      煙道
１０    ベルマウス
２０    ファンケーシング
２１    送風機
２２    ファン吸込口
３０    内面パネル
３１    開口部
４０    吸込口パネル
４１    吸込口
４２    一辺
４３    他辺
４４    立上部
５０    フィルタ
５１    孔
５２    フィルタの下端
５３    フィルタの上端
【図１】
2015094506.tif 000003
【図２】
2015094506.tif 000004
【図３】
2015094506.tif 000005
【図４】
2015094506.tif 000006
【図５】
2015094506.tif 000007
【図６】
2015094506.tif 000008
【図７】
2015094506.tif 000009
【図８】
2015094506.tif 000010
【図９】
2015094506.tif 000011
【図１０】
2015094506.tif 000012
【図１１】
2015094506.tif 000013
【図１２】
2015094506.tif 000014
【図１３】
2015094506.tif 000015
【図１４】
2015094506.tif 000016
【図１５】
2015094506.tif 000017
【図１６】
2015094506.tif 000018